(57)【要約】      （修正有）【課題】装置を覆うことにより保護機能を果たす、複数のスタンド形態を有するカバーを提供する。【解決手段】第一端部２１１および第二端部２１２を有する第一部分２１０と、第三端部２２３および第四端部２２４を有する第二部分２２０と、第五端部２３５を有する第三部分２３０と、を少なくとも備え、第一部分２１０は第一端部２１１により上記装置と回転可能に連結し、第二部分２２０は第二端部２１２により第一部分２１０と回転可能に連結し、第三部分２３０は第四端部２２４により第二部分２２０と回転可能に連結するものであって、該第二部分２２０は第三端部２２３により放置面と接触し、且つ第一部分２１０の第二端部２１２は第一端部２１１より高いことを特徴とする。装置を保護すると同時に、異なる角度のスタンド形態を有する。さらに、より安定的な支えを提供し、操作時に倒れにくい。【選択図】図１
0003182556.tif 000002
【実用新案登録請求の範囲】
【請求項１】
装置を覆うことに用いる、複数のスタンド形態を有するカバーであって、
第一端部および第二端部を有する第一部分と、
第三端部および第四端部を有する第二部分と、
第五端部を有する第三部分と、を少なくとも備え、
第一部分は第一端部により上記装置と回転可能に連結し、
第二部分は第二端部により第一部分と回転可能に連結し、
第三部分は第四端部により第二部分と回転可能に連結するものであって、
該カバーはスタンド支持形態を形成し、上記装置を一定の角度に傾斜させることができ、
第二部分は第三端部により放置面と接触し、且つ第一部分の第二端部は第一端部より高いことを特徴とする、複数のスタンド形態を有するカバー。
【請求項２】
上記第三部分は第五端部により第一部分と接触していることを特徴とする、請求項１に記載の複数のスタンド形態を有するカバー。
【請求項３】
上記第一部分は、上記第五端部のスリップを防止するための位置限定要素をさらに有し、  上記位置限定要素は溝、孔、（公序良俗違反につき、不掲載）を含むが、これらに限定されないことを特徴とする、請求項２に記載の複数のスタンド形態を有するカバー。
【請求項４】
上記第一部分は、ヒンジラインにより隔てられている、第一部分の第一端部を含む部分及び、第一部分の第二端部を含む部分をさらに含むことを特徴とする、請求項１に記載の複数のスタンド形態を有するカバー。
【請求項５】
上記ヒンジラインにより、第三部分の第五端部を止め、スリップを防止し、且つ上記装置を上記第三部分上に寄りかからせて、もう一つの角度に傾斜させることを特徴とする、請求項４に記載の複数のスタンド形態を有するカバー。
【請求項６】
上記第二部分はくりぬき部分を有し、折りたたまれる際には少なくとも第一部分の一部が露出することを特徴とする、請求項１に記載の複数のスタンド形態を有するカバー。
【考案の詳細な説明】
【技術分野】
【０００１】
本考案は、装置を覆うことで保護機能を与えるカバーを提供し、特に、複数の異なるスタンド形態を呈することができ、使用者が異なる角度でスタンドするように複数の面を有する装置を固定するのを助けるものに係る。
【背景技術】
【０００２】
複数の面を有する装置、特に例えば、タブレット、ボータブルスクリーンなどの電子装置は、机上に置かれ、且つ一定の角度で固定されることにより、使用者にとって使用しやすいようにすることが多い。従来の方法では、支持台座を利用して角度を固定し、または装置上に付着している折りたたみ可能なスタンドにより装置を支える。スタンド台座を用いた場合の課題は、ボータブル性が大半の場合望ましくなく、定められた場所でしか使用できないことである。また、装置に付着できる折りたたみ可能なスタンドは、装置の外観において延伸している部材が存在するため、美しく且つ使いやすくするために、さらに設計を行うことが必要となる。上記従来方法はスタンド形態で使用することが多く、他の機能は附加されていない。
【０００３】  （公序良俗違反につき、不掲載）はカバーについて開示し、該カバーは装置を覆うことにより保護機能を提供する。その手軽で体積を占めない設計は日常の生活習慣に溶け込むことができ、その他の機能の使用に対する影響は少ない。該カバーは設置することにより三角形の管状のものを形成でき、タブレットを支える。しかし、タイピングとメディア鑑賞という二種類の異なる角度のスタンド形態があるのみで、他の使用状況において、例えば膝の上（ラップトップ）で使用する場合は、比較的良い視覚角度を提供することはできない。また、メディア鑑賞の形態においては、机との接触面積は大きくないため、操作時に倒れやすい。【０００４】
上記事情に鑑みて、より多くの角度のスタンド形態及び安定的な支えを行うことができるカバーを提供する必要がある。
【考案の概要】
【考案が解決しようとする課題】
【０００５】
上記の従来から真に満たされなかったニーズ、及び従来技術における各種問題点を解決するために、本考案の目的は、少なくとも二種類の固定角度にて使用者が装置を使用できるように助け、スタンド形態を有するカバー構造を提供することである。
【０００６】
本考案の他の一つ目的はスタンド形態が比較的安定的な構造を有し、操作によって倒れにくいカバーを提供することである。
【０００７】
本考案の他の一つ目的はくりぬき部分を有ることでカバーの体積と重さを減少させたカバーを提供することである。
【課題を解決するための手段】
【０００８】
上記目的の少なくとも一つ、またはその他の目的に達成するために、本考案は装置を覆うことに用い、複数のスタンド形態を有するカバーを提供し、第一端部および第二端部を有する第一部分と、第三端部および第四端部を有する第二部分と、第五端部を有する第三部分と、を少なくとも備え、第一部分は第一端部により上記装置と回転可能に連結し、第二部分は第二端部により第一部分と回転可能に連結し、第三部分は第四端部により第二部分と回転可能に連結するものであって、該カバーはスタンド支持形態を形成し、上記装置を一定の角度に傾斜させることができ、第二部分は第三端部により放置面と接触し、且つ第一部分の第二端部は第一端部より高い。
【０００９】
また、上記第三部分は第五端部により第一部分と接触し、上記装置を第三部分上に寄りかからせ、他の角度に傾斜される。
【００１０】
また、上記第一部分は、第五端部のスリップを防止するための位置限定要素をさらに有し、上記位置限定要素は溝、孔、マジックテープ（登録商標）を含むが、これらに限定されない。
【００１１】
また、上記第一部分は、ヒンジラインにより隔てられている、第一部分の第一端部を含む部分及び、第一部分の第二端部を含む部分をさらに含む。
【００１２】
また、第二部分はくりぬき部分を有し、少なくとも第一部分の一部が露出することを特徴とする。
【考案の効果】
【００１３】
本考案の効果は、少なくとも二種類の固定角度にて使用者が装置を使用できるように助け、スタンド形態を有するカバー構造を提供したことである。
【００１４】
本考案の他の一つ効果はスタンド形態が比較的安定的な構造を有し、操作によって倒れにくいカバーを提供することである。
【００１５】
本考案の他の一つ効果はくりぬき部分を有ることでカバーの体積と重さを減少させたカバーを提供することである。
【図面の簡単な説明】
【００１６】
【図１】図１は、本考案の第一のスタンド形態を側面から観察した立体図である。
【図２】図２は、本考案の第二のスタンド形態を側面から観察した立体図である。
【図３】図３は、本考案の実施例２の構造を示した立体図である。
【図４】図４は、本考案の実施例２において、カバーとして装置を覆っている場合を示す立体図である。
【図５】図５は、本考案の実施例２を組み立てた場合を示す立体図である。
【図６】図６は、本考案の実施例２を組み立てた場合を示す立体図である（フラットにした場合）。
【図７】図７は、本考案の実施例２の第二のスタンド形態を側面から観察した立体図である。
【図８】図８は、本考案の実施例２の第一のスタンド形態を側面から観察した立体図である。
【考案を実施するための形態】
【００１７】
本考案の上記及びその他の目的、特徴及びメリットをさらに分かりやすくするために、下記では好適な実施例を挙げ、図面を参照して詳細に説明する。
【００１８】
図１及び図２は、本考案のカバーの実施例１の二種類のスタンド形態を側面から観察した立体図である。該カバー２００は、第一端部２１１及び第二端部２１２を有する第一部分２１０、第三端部２２３及び第四端部２２４を有する第二部分２２０、及び第五端部２３５を有する第三部分２３０を含む。ここにおいて、第一部分２１０は第一端部２１１により、装置１００（図の例はタブレット）と回転可能に連結し、第二部分２２０は第二端部２１２により第一部分２１０と回転可能に連結し、第三部分２３０は第四端部２２４により第二部分２２０と回転可能に連結している。
【００１９】
図における実施例の連結端部９００はダブルヒンジを用いた蝶番構造であり、その一端は第一端部２１１と接合し、及び装置のヒンジ端部９０１と装置１００とが接合する。ダブルヒンジの設計は主には、本実施例中のカバー２００を該装置の正面及び背面にフィットするようにするためである。図に示されているのはあくまでも例示であり、回転可能に連結する機能を達成できるものであれば、いずれも適切な均等物であると言える。
【００２０】
本実施例は概ねには板状物によって構成されるものであり、その材質は強度がスタンドに組み立てられるものであればよく、重合体、複合体、積層体を含むが、これらに限られない。カバー２００は折りたたまれた時には該装置１００の正面に位置し保護用となり。スタンド形態に設置する場合は装置を一定の角度に傾斜させることができる。
【００２１】
図１を参照すれば、カバー２００は第一のスタンド形態に設置可能で、この場合装置１００を一定の角度に傾斜させることができる。ここにおいて、第二部分２２０はその第三端部２２３により放置面と接触し、且つ第一部分２１０の第二端部２１２は第一端部２１１より高い。図に示されているスタンドの横幅（すなわち第三端部２２３から装置１００底部の装置のヒンジ端部９０１までの距離）は明らかに多くの従来例よりは広くて、比較的安定的な構造を提供することができ、操作によって倒れにくい。
【００２２】
このスタンド形態をさらに安定化させるために、装置１００の背面に、第三部分２３０と対応する位置制限要素を設置してその移動を制限し、例えば突起しているシート状物により第三部分２３０を止めさせる。またはペアとなる連結部材ペア、例えばマジックテープ（ｈｏｏｋ  ａｎｄ  ｌｏｏｐ  ｂａｎｄ）、スナップボタンなどをカバー２００及び装置１００背面に設置することによりその移動を制限する。
【００２３】  該カバー２００は第二のスタンド形態に設置することで、前記装置１００を他の角度に傾斜させることができる。具体的なやり方としては図１の第三部分２３０を下に折り曲げ、第五端部２３５と第一部分２１０とを接触させ、図２のようなスタンド形態を得る。この傾斜角度は、（公序良俗違反につき、不掲載）のタイピングとメデイア鑑賞の二種類の異なる角度の間となるものであり、該装置を膝の上において使用する際において、同時に頚部の心地よい角度を維持することに適している。その比較的大きな横幅は、例えば（公序良俗違反につき、不掲載）メデイア鑑賞角度にて膝の上で使用する際の倒れやすいという問題を回避することができる。
【００２４】
第三部分２３０の適切な折り曲げ角度により、装置１００の圧下する重量を、第五端部２３５と第一部分２１０との間に摩擦力を生じさせることにより止めさせる。また、他に第五端部のスリップを防止するための位置制限要素を別途設計することもできる。一つは第一部分２１０上に溝を設置することにより、第五端部がスリップすることを回避する。もう一つは第一部分２１０上に孔を設置することで、第五端部２３５に設置されている突起に対応させる。または、マジックテープなどにより摩擦力または抵抗力を増加させる方法により、スタンド構造をさらに安定したものにすることである。
【００２５】
図３〜８に示されたものを参照する。これらは本考案のカバーの実施例２を側面から観察した各種応用状態における立体図である。該カバー２００は、第一端部２１１及び第二端部２１２を含む第一部分２１０、第三端部２２３及び第四端部２２４を含む第二部分２２０、第五端部を含む第三部分２３０を備える。ここにおいて、第一部分２１０は、第一端部２１１により装置１００（図に示されているのはタブレット）と回転可能に連結し、第二部分２２０は第二端部２１２により第一部分２１０と回転可能に連結し、第三部分２３０は第四端部２２４及び第四端部と対称的な端部２２５により、第二部分２２０と回転可能に連結している。
【００２６】
図３を参照する。図３は実施例２の組成を示した立体図である。図において示されるのはカバー２００及び装置１００（表示されているのは装置背面）である。図において、実施例の連結端部９００は、ダブルヒンジを用いる蝶番構造であり、その一端は第一端部２１１と接合し、及び装置ヒンジ端部（図に示されていない）により装置１００と接合する。ダブルヒンジの設計は、主には本実施例中のカバー２００を該装置の正面及び背面にフィットさせるためのものである。実施例１との比較的明確な区別は、第二部分２２０にはくりぬき部分２２８（台形のくりぬき）を有し、図４のように折りたたまれる際には、少なくとも第一部分の一部（例えば図中における２１４）が露出することである。また、長さが該装置１００の長辺より短い第一部分２１０は、第一部分ヒンジライン２１５により隔てられている第一部分の第一端部を含む部分２１３と、第一部分の第二端部を含む部分２１４をさらに含む。これらの設計は、カバーの総体積及び対応する重量を減少させることができる。
【００２７】
カバー２００は設計及び適切な材質を使用することにより、構造、保護及び汚れ防止などの機能を達成することができ、米国特許文献２０１１０１６３６４２などの多くの前例を参考することができる。例えば図中における２１３、２１４、２２０、２３０の各部材はそれぞれ、内張りの硬質材料強化エリアを有し、これにより保護できる機械的強度を向上させている。
【００２８】
図４を参照すること。図４は実施例２のカバーが折りたたまれた時の立体図である。カバー２００は、該装置１００の正面を覆い、スクリーンを保護する。図中の第一部分２１０の第一部分の第一端部を含む部分２１３は、第三端部２３０によって遮蔽されているため図に示されていなく、第一部分の第二端部を含む部分２１４は、第二部分２２０中のくりぬき部分２２８（台形くりぬき）から露出し、第二端部２１２により第二部分２２０と回転可能に連結している。
【００２９】  図３のカバー２００の第三部分２３０の第五端部２３５を第一部分のヒンジライン２１５にあて、第三部分２３０と第一部分２１０の第一部分の第一端部を含む部分２１３を折りたたみ、さらには第二部分２２０を装置１００の背面にフィットさせることで図５に示すものが得られる。各部分の長さは適切に配置され、及び装置１００の重心は適切に配置すれば装置を図５の状態でスタンドさせることができ、（公序良俗違反につき、不掲載）のメデイア鑑賞のスタンド角度に相当する。
【００３０】  図５の形態をフラットにした場合は図６に示すようになり、（公序良俗違反につき、不掲載）のタイピング角度に相当する。
【００３１】
図６の装置１００を右側から引き起こし、その左側を放置面に当たるように配置し、装置１００を第三部分２３０上に寄りかからせれば図７を得ることができる。図７は、実施例１の第二のスタンド形態である。
【００３２】
同じように、実施例２も、実施例１の第一のスタンド形態に設置することもでき、図８に示すとおりである。
【００３３】
本発明の好適な実施例は上記に示すとおりであるが、これは本発明を限定するものではない。いかなる当業者も、本発明の精神及び範囲から離れてない状況で、変更または改良を行うことができる。よって、本発明の保護範囲は請求の範囲の記載によって決められる。
【符号の説明】
【００３４】
１００  装置
２００  カバー
２１０  第一部分
２１１  第一端部
２１２  第二端部
２１３  第一部分の第一端部を含む部分
２１４  第一部分の第二端部を含む部分
２１５  第一部分ヒンジライン
２２０  第二部分
２２３  第三端部
２２４  第四端部
２２５  第四端部に対応する端部
２２８  くりぬき部分
２３０  第三部分
２３５  第五端部
９００  連結端部
９０１  装置ヒンジ端部
【図１】
0003182556.tif 000003
【図２】
0003182556.tif 000004
【図３】
0003182556.tif 000005
【図４】
0003182556.tif 000006
【図５】
0003182556.tif 000007
【図６】
0003182556.tif 000008
【図７】
0003182556.tif 000009
【図８】
0003182556.tif 000010
【手続補正書】
【提出日】平成25年1月24日(2013.1.24)
【手続補正１】
【補正対象書類名】実用新案登録請求の範囲
【補正対象項目名】全文
【補正方法】変更
【補正の内容】
【実用新案登録請求の範囲】
【請求項１】
装置を覆うことに用いる、複数のスタンド形態を有するカバーであって、
第一端部および第二端部を有する第一部分と、
第三端部および第四端部を有する第二部分と、
第五端部を有する第三部分と、を少なくとも備え、
第一部分は第一端部により上記装置と回転可能に連結し、
第二部分は第二端部により第一部分と回転可能に連結し、
第三部分は第四端部により第二部分と回転可能に連結するものであって、
該カバーはスタンド支持形態を形成し、上記装置を一定の角度に傾斜させることができ、
第二部分は第三端部により放置面と接触し、且つ第一部分の第二端部は第一端部より高いことを特徴とする、複数のスタンド形態を有するカバー。
【請求項２】
上記第三部分は第五端部により第一部分と接触していることを特徴とする、請求項１に記載の複数のスタンド形態を有するカバー。
【請求項３】
上記第一部分は、上記第五端部のスリップを防止するための位置限定要素をさらに有し、
上記位置限定要素は溝、孔、面ファスナーを含むが、これらに限定されないことを特徴とする、請求項２に記載の複数のスタンド形態を有するカバー。
【請求項４】
上記第一部分は、ヒンジラインにより隔てられている、第一部分の第一端部を含む部分及び、第一部分の第二端部を含む部分をさらに含むことを特徴とする、請求項１に記載の複数のスタンド形態を有するカバー。
【請求項５】
上記ヒンジラインにより、第三部分の第五端部を止め、スリップを防止し、且つ上記装置を上記第三部分上に寄りかからせて、もう一つの角度に傾斜させることを特徴とする、請求項４に記載の複数のスタンド形態を有するカバー。
【請求項６】
上記第二部分はくりぬき部分を有し、折りたたまれる際には少なくとも第一部分の一部が露出することを特徴とする、請求項１に記載の複数のスタンド形態を有するカバー。
【手続補正２】
【補正対象書類名】明細書
【補正対象項目名】０００３
【補正方法】変更
【補正の内容】
【０００３】
Ｌａｕｄｅｒらが２０１０年９月１７日に出願した「Apparatus and Method for Magnetic Attachment」と題された米国特許仮出願第６１／３８４，１７９号はカバーについて開示し、該カバーは装置を覆うことにより保護機能を提供する。その手軽で体積を占めない設計は日常の生活習慣に溶け込むことができ、その他の機能の使用に対する影響は少ない。該カバーは設置することにより三角形の管状のものを形成でき、タブレットを支える。しかし、タイピングとメディア鑑賞という二種類の異なる角度のスタンド形態があるのみで、他の使用状況において、例えば膝の上（ラップトップ）で使用する場合は、比較的良い視覚角度を提供することはできない。また、メディア鑑賞の形態においては、机との接触面積は大きくないため、操作時に倒れやすい。
【手続補正３】
【補正対象書類名】明細書
【補正対象項目名】００２３
【補正方法】変更
【補正の内容】
【００２３】
該カバー２００は第二のスタンド形態に設置することで、前記装置１００を他の角度に傾斜させることができる。具体的なやり方としては図１の第三部分２３０を下に折り曲げ、第五端部２３５と第一部分２１０とを接触させ、図２のようなスタンド形態を得る。この傾斜角度は、Ｌａｕｄｅｒのｃｏｖｅｒのタイピングとメデイア鑑賞の二種類の異なる角度の間となるものであり、該装置を膝の上において使用する際において、同時に頚部の心地よい角度を維持することに適している。その比較的大きな横幅は、例えばＬａｕｄｅｒのｃｏｖｅｒのメデイア鑑賞角度にて膝の上で使用する際の倒れやすいという問題を回避することができる。
【手続補正４】
【補正対象書類名】明細書
【補正対象項目名】００２９
【補正方法】変更
【補正の内容】
【００２９】
図３のカバー２００の第三部分２３０の第五端部２３５を第一部分のヒンジライン２１５にあて、第三部分２３０と第一部分２１０の第一部分の第一端部を含む部分２１３を折りたたみ、さらには第二部分２２０を装置１００の背面にフィットさせることで図５に示すものが得られる。各部分の長さは適切に配置され、及び装置１００の重心は適切に配置すれば装置を図５の状態でスタンドさせることができ、Ｌａｕｄｅｒのｃｏｖｅｒのメデイア鑑賞のスタンド角度に相当する。
【手続補正５】
【補正対象書類名】明細書
【補正対象項目名】００３０
【補正方法】変更
【補正の内容】
【００３０】
図５の形態をフラットにした場合は図６に示すようになり、Ｌａｕｄｅｒのｃｏｖｅｒのタイピング角度に相当する。